(57)【要約】      （修正有）【課題】レンタル方式のダストコントロールマットの構造とセット技術に関するもので、レンタル業者や製造業者側の効率性や作業性や利益性や環境性などの向上を目的とした、ラバーレスダストコントロールマットとその使用方法を提供する。【解決手段】  ショップやオフィスの入り口などにセットする業務用でレンタル方式のダストコントロールマットなどの構成に於て上層のパイル２のベースである基布１の裏面にラテックス３を有した構造で、従来タイプのゴム質ラバー４を付けないラバーレスマットの基本構成に適度の粘着力があり、何度も貼って剥がせる両面粘着タイプの貼って剥がせる粘着シート５と接合する方法を特徴としたゴム質ラバーレスダストコントロールマットの構成と使用方法。【選択図】  図１
2006305285.tif 000002
【特許請求の範囲】
【請求項１】
ショップやオフィスの入り口などにセットする業務レンタルなどのダストコントロールマットに於て上層のパイル２のベースである基布１の裏面にラテックス３を有した構造に於てゴム質のラバー４を付けないラバーレスマットの基本構成に貼って剥がせる両面粘着タイプの貼って剥がせる粘着シート５を基布１裏面のラテックス３と接合する構成を特徴としたラバーレスダストコントロールマットと使用方法。
【請求項２】
ショップやオフィスの入り口などにセットする業務レンタルなどのダストコントロールマットをセットする床６などのセット面に、両面粘着タイプの貼って剥がせる粘着シート５を貼り、その上にゴム質ラバーレスのダストコントロールマットを接合する方法のラバーレスダストコントロールマットと使用方法。
【請求項３】
ショップやオフィスの入り口などにセットする業務レンタルなどのダストコントロールマットをセットする床６などのセット面に、両面粘着タイプの貼って剥がせる粘着シート５を貼り、その上に従来のラバー有りダストコントロールマットを接合する方法のラバーレスダストコントロールマットと使用方法。
【発明の詳細な説明】
【技術分野】
【０００１】  本発明はオフィスやショップなどの入り口に使用される主に業務用でレンタル方式のダストコントロールマットの構造とセット技術に関するもので、その技術構成のベースとしては靴底の土や砂ぼこりを落とし吸塵性や吸水性を主目的としたスタンダードタイプやデザイン性をも目的としたファッションタイプや、宣伝や広告をも目的としたコマーシャルタイプや抗菌、除菌の衛生性や高除塵、高吸水性などを付加した高機能タイプなど使用する側であるお客様のニーズを最優先した技術分野であったが、本発明はこれらの技術性能を劣すことなく、ダストコントロールマットのレンタル業を営む者や製造業者側の効率性や作業性や利益性や環境性などの向上をも目的とし、強いてはお客様へ利益やサービスを還元することをも目的としたレンタル方式のラバーレスダストコントロールマットとその使用方法に関するものである。
【背景技術】
【０００２】  従来、オフィスやショップの入り口などにセットする業務用のダストコントロールマットの構成は、上層よりパイル２、基布１、ラテックス３、ゴム質ラバー４の層別接合構造が一般的であり、ゴム質ラバー４をベース素材とした技術構成であった。【０００３】  人通りが多いオフィスやショップなどにセットする業務用のダストコントロールマットに於ては自重だけによる安定設置は困難でズレや捲れ防止の策として、ゴム質ラバー４と床６の接合面に使い捨て型の両面接着シートを貼り付ける安定固着化のための技術を施していた。
【発明が解決しようとする課題】
【０００４】  従来のゴム質ラバー４をベース材とした業務用のダストコントロールマットなどは構造的に下記の問題があった。
（イ）ゴム質ラバー４は難燃性で廃棄やリサイクルが困難で環境的にも経済的にも問題であった。
（ロ）ゴム質ラバー４は重量素材でありセッティング作業や搬入、搬出、搬送作業やクリーニング作業など重労働を余儀なくされ作業効率が大変悪かった。
（ハ）ゴム質ラバー４は重量素材であり、稼動的に重量制限があるクリーニング装置などへの搬入量が制限され、クリーニング効率が悪くコスト的にも問題であった。
（ニ）ゴム質ラバー４は水密素材であるため洗剤の吸収性がなく洗浄効率や脱水乾燥効率が悪くランニングコストや洗浄品質的にも問題であった。
（ホ）ゴム質ラバー４は高摩擦素材であるため付加係数が高くクリーニング稼動時の洗浄効率が悪かった。
【０００５】  人通りが多いショップやオフィスなどにセットするレンタル方式のダストコントロールマットで、ゴム質ラバー４と床６の接合面に両面接着シートを貼り付けて安定固着化する方法には下記の問題があった。
（イ）ダストコントロールマットを取り替える際にはゴム質ラバー４や床６に両面接着シートを貼り付けたり、剥がしたりする作業を余儀なくされ、無駄な労力や、多くのコストを費やしていた。
（ロ）使い捨ての消耗材である両面接着シートの材料費も高価でありコスト的問題もあった。
（ハ）消耗材である両面接着シートの廃棄には環境的にも問題があった。
【課題を解決するための手段】
【０００６】  いまその課題を解決するための構成とセット方法を説明すれば、
請求項１についてはショップやオフィスの入り口などにセットする業務用でレンタル方式のダストコントロールマットなどの構成に於て上層のパイル２のベースである基布１の裏面にラテックス３を有した構造で、従来タイプのゴム質ラバー４を付けないラバーレスマットの基本構成に適度の粘着力があり、何度も貼って剥がせる両面粘着タイプの貼って剥がせる粘着シート５と組み合せることを特徴とした構成のゴム質ラバーレスダストコントロールマットである。
【０００７】  請求項２についてはショップやオフィスの入り口などにセットする業務用でレンタル方式のダストコントロールマットなどをセットする床６などのセット面に、両面粘着タイプの貼って剥がせる粘着シート５を貼り、その上にゴム質ラバーレスの業務用ダストコントロールマットを接合する使用方法である。
【０００８】  請求項３についてはショップやオフィスの入り口などにセットする業務用でレンタル方式のダストコントロールマットなどをセットする床６などのセット面に、両面粘着タイプの貼って剥がせる粘着シート５を貼り、その上に従来タイプのゴム質ラバー４を有した業務用ダストコントロールマットを接合する使用方法である。
【作用】
【０００９】  次に本発明の作用を述べると、
請求項１については、従来タイプのベースとなり重量素材であるゴム質ラバー４を付けない軽量自在タイプとなるため作業性、搬送性、洗浄性、乾燥性、品質性、環境性などに有効に作用し、軽量による不安定化などの問題は貼って剥がせる粘着シート５とラテックス３との粘着接合により安定させて有効に作用する。
【００１０】  請求項２についてはラバーレスダストコントロールマットをセットする床６などに貼って剥がせる粘着シート５を貼り、その上にラバーレスダストコントロールマットのラテックス３を接合しズレ、捲れを防止する作用であり、ラバーレスダストコントロールマットをレンタル交換の際にはラバーレスダストコントロールマットのみを取り替え貼って剥がせる粘着シート５はそのまま流用するし、貼って剥がせる粘着シート５が汚れた場合には水洗いして再利用する作用である。
【００１１】  請求項３については従来タイプのゴム質ラバー有りダストコントロールマットと貼って剥がせる粘着シート５を接合する請求項２と同様の作用である。
【発明を実施するための最良の形態】
【００１２】  具体実施例を述べれば、
（イ）ラバーレスダストコントロールマットのラテックス３は不織布などで貼って剥がせる粘着シート５が容易に接着する素材や接合面とする。
（ロ）貼って剥がせる粘着シート５は粘着力が強く、粘着性に復元性があり、何度でも使用できる特性を有する市販品とする。
（ハ）貼って剥がせる粘着シート５はラテックス３との接合部全面を貼る場合もあるし、四周の強度部のみを貼るなど状況に応じて運用する。
【発明の効果】
【００１３】  本発明はショップやオフィスの入り口などにセットするダストコントロールマットに於て、それを利用するユーザーのお客様ばかりではなく、サービスを提供するレンタル業者や製造業者側にも有効なダストコントロールマットの構成とその使用法に関するものであり、その具体効果を列記します。
【００１４】  請求項１のゴム質ラバー４を省いた構成による効果
（イ）難燃素材のゴム質ラバー４を使用しないため廃棄やリサイクルが容易で環境的にも経済的にも有効である。
（ロ）重量素材のゴム質ラバー４を使用しないため軽量となりセッティング作業や搬入、搬出、搬送作業やクリーニング作業などに於て重労働が減少し作業効率が大巾に向上します。
（ハ）重量素材のゴム質ラバー４を使用しないため軽量となり稼動的に重量制限があるクリーニング装置などへの搬入量を増加でき、クリーニング効率が大巾に向上します。
（ニ）水密素材のゴム質ラバー４を使用しないため洗剤の吸収性が良く洗浄効率や脱水乾燥効率が向上しランニングコストが低減し洗浄品質も向上します。
（ホ）高摩擦素材のゴム質ラバー４を使用しないためクリーニング洗浄稼動時の摩擦が減少し洗浄効率が大巾に向上します。
【００１５】  請求項２の貼って剥がせる粘着シート５と接合する方法による効果
（イ）レンタル方式のダストコントロールマットを取り替える度に両面接着シートを貼り付けたり、剥がしたりする作業が削除でき、作業効率が大巾に向上します。
（ロ）使い捨ての消耗材である両面接着シートの材料費も削減します。
（ハ）両面接着シートの廃棄が不用となり環境的にも有効です。
【００１６】  請求項３の貼って剥がせる粘着シート５と接合する方法を従来型のラバー有りダストコントロールマットにも適用することにより請求項２と同様に広範囲の効果が期待されます。
【００１７】  本発明は従来タイプのダストコントロールマットに比べて性能を劣すことなく、自然環境保全に有効に作用するし、レンタルサービスを提供する業者や製造業者に多岐の有益な効果をもたらすものであり、強いてはユーザーであるお客様へ収益を還元することなどダストコントロールマット業界の転換と地域社会の発展に大きく貢献するものであります。
【図面の簡単な説明】
【図１】本発明のラバーレスダストコントロールマットのセット状況の一例を示す斜視図
【図２】本発明のラバーレスダストコントロールマットの一例を示す詳細部の側面図
【図３】従来のラバー有りダストコントロールマットの一例を示す詳細部の側面図
【符号の説明】
１は基布
２はパイル
３はラテックス
４はラバー
５は貼って剥がせる粘着シート
６は床
【図１】
2006305285.tif 000003
【図２】
2006305285.tif 000004
【図３】
2006305285.tif 000005